(57)【特許請求の範囲】
【請求項１】
帳票に関するデータを格納しているサーバ装置と、オペレータによる前記帳票に関するデータの補正データを入力するエントリ端末とがネットワークを介して接続された帳票処理システムであって、
前記サーバ装置は、
少なくとも１つの端末装置から送信される前記帳票の画像イメージと、前記画像イメージデータを基に認識された文字データとを格納する格納部を備え、
前記エントリ端末は、
前記画像イメージデータから所定の種別を示す文字列を検出する検出部と、
前記オペレータにより入力された前記補正データに含まれる文字列の接尾語が、前記検出された前記所定の種別に対応するか否かを判定する判定部と、
を備えることを特徴とする、帳票処理システム。
【請求項２】
前記少なくとも１つの端末装置は、
前記帳票の画像イメージデータを取得し、前記画像イメージデータを基に文字データを認識する認識部と、
前記取得された前記画像イメージデータおよび前記認識された前記文字データを前記サーバ装置に送信することを特徴とする、請求項１に記載の帳票処理システム。
【請求項３】
前記サーバ装置は、
前記エントリ端末の要求に応じて前記画像イメージデータおよび前記文字データを配信することを特徴とする、請求項１に記載の帳票処理システム。
【請求項４】
少なくとも１つの端末装置から送信される帳票の画像イメージと、前記画像イメージを基に認識された文字データを格納しているサーバ装置とネットワークを介して接続されるエントリ端末であって、
前記画像イメージデータと前記文字データを要求する要求部と、
前記画像イメージデータから所定の種別を示す文字列を検出する検出部と、
オペレータにより入力された前記所定の種別に関連する前記文字データの補正データを取得する取得部と、
前記補正データに含まれる文字列の接尾語が、前記検出された前記所定の種別に対応するか否かを判定する判定部と、
を備えることを特徴とする、エントリ端末。
【請求項５】
前記所定の種別と、前記所定の種別に対応する文字列の接尾語と、前記文字列の接尾語の文字数とを関連付けて記憶している接尾語記憶部を備えることを特徴とする、請求項４に記載のエントリ端末。
【請求項６】
前記取得部により取得された補正データに含まれる文字列から、前記所定の種別に関連付けられた前記文字列の接尾語の文字数分の文字列を抽出する抽出部を備えることを特徴とする、請求項５に記載のエントリ端末。
【請求項７】
前記判定部は、前記抽出部により抽出された前記補正データに含まれる文字列の接尾語と、前記所定の種別に関連付けられた前記文字列の接尾語とを比較することを特徴とする、請求項６に記載のエントリ端末。
【請求項８】
前記所定の種別は、金融機関の種別を示すことを特徴とする、請求項４に記載のエントリ端末。
【請求項９】
前記補正データに含まれる文字列は、金融機関名を示すことを特徴とする、請求項４に記載のエントリ端末。
【請求項１０】
前記判定部は、前記金融機関の種別が銀行以外の種別である場合に、前記補正データに含まれる金融機関名の接尾語が、前記検出された金融機関の種別に対応するか否かを判定することを特徴とする、請求項９に記載のエントリ端末。
【請求項１１】
前記判定部は、前記金融機関の種別が農協、信金、信組の種別を示す場合に、前記補正データに含まれる金融機関名の接尾語が、それぞれ、ノウキヨウ、シンキン、シンクミであるか否かを判定することを特徴とする、請求項１０に記載のエントリ端末。
【請求項１２】
帳票に関するデータを格納しているサーバ装置と、オペレータによる前記帳票に関するデータの補正データを入力するエントリ端末を用いた帳票データ処理方法であって、
少なくとも１つの端末装置が前記帳票の画像イメージと、前記画像イメージデータを基に認識された文字データとを前記サーバ装置へ送信するステップと、
前記サーバ装置が前記送信された前記帳票の画像イメージと前記文字データを格納するステップと、
前記エントリ端末による要求に応じて、前記サーバ装置が前記帳票の画像イメージと前記文字データを配信するステップと、
前記エントリ端末が前記画像イメージデータから所定の種別を示す文字列を検出するステップと、
前記エントリ端末が前記オペレータにより入力された前記補正データに含まれる文字列の接尾語が、前記検出された前記所定の種別に対応するか否かを判定するステップと、
を含むことを特徴とする、帳票データ処理方法。
【発明の詳細な説明】
【技術分野】
【０００１】
本発明は、帳票処理システム、エントリ端末および帳票データ処理方法に関する。
【背景技術】
【０００２】
一般に、金融機関の営業店に顧客が振り込み依頼に来店した場合、まず、顧客が所定の振込依頼書に必要事項を記入して営業店の窓口に提出する。この振込依頼書は、営業店に設定されているスキャナから読み取られ、集中センタのサーバ装置に送信される。そして、集中センタの入力端末にてデータの補正操作等が行われる。特に、金融機関名を誤って、他の金融機関へ振り込んでしまうという重大事故を未然に防ぐため、振込み先の金融機関名の検証は重要である。そこで、金融機関名の検証作業を容易にするために、金融機関毎に色を替えて表示させる方法が開示されている（例えば、特許文献１）。
【０００３】
振込依頼書の金融機関名記入フィールドには振込先金融機関名が漢字で記入され、金融機関種別フィールドには振込先金融機関に該当する金融機関種別にマークが付けられる。振込先金融機関名を漢字で記入する場合には、銀行以外の金融機関は接尾語を付けても付けなくても、マークが付された金融機関種別から文字認識が可能である。通常、記入文字数が少ないほうが記入が楽であるため、接尾語を付けないことが多い。
【０００４】
例えば、「沖農協」に振込をする場合、振込依頼書の記載は以下の２通りが考えられる。
（１）漢字フィールドに「沖」と記入し、金融機関種別は「農協」にマークする。
（２）漢字フィールドに「沖農協」と記入し、金融機関種別は「農協」にマークする。
上記の場合、「農協」の接尾語を付けずに漢字フィールドに「沖」と記入する場合が多い。
【先行技術文献】
【特許文献】
【０００５】
【特許文献１】特開平９−５４８０６号公報
【発明の概要】
【発明が解決しようとする課題】
【０００６】
例えば、金融機関名の漢字をＯＣＲで文字認識できなかった場合には、集中センタのオペレータが振込依頼書の帳票イメージを目視しながら補正入力を行っている。ここで、上記（１）の場合に、正しくは「オキノウキヨウ」と入力すべきところ、集中センタのオペレータが金融機関種別の「農協」に付されているマークを見落として誤って「オキ」と入力してしまう場合が考えられる。
【０００７】
一般銀行の場合には、全国銀行協会の規定で金融機関名のカナ名称の接尾語は付けないこととなっているため、「オキ」と入力された場合には「沖銀行」宛ての振込依頼として集中センタに誤発信されてしまうという問題があった。
そこで、本発明は、上記問題に鑑みてなされたものであり、本発明の目的とするところは、ＯＣＲにより文字認識されなかった金融機関名称等の文字データを正しく補正入力することが可能な、新規かつ改良された帳票処理システム、エントリ端末および帳票データ処理方法を提供することにある。
【課題を解決するための手段】
【０００８】
上記課題を解決するために、本発明のある観点によれば、帳票に関するデータを格納しているサーバ装置と、オペレータによる前記帳票に関するデータの補正データを入力するエントリ端末とがネットワークを介して接続された帳票処理システムであって、前記サーバ装置は、少なくとも１つの端末装置から送信される前記帳票の画像イメージと、前記画像イメージデータを基に認識された文字データとを格納する格納部を備え、前記エントリ端末は、前記画像イメージデータから所定の種別を示す文字列を検出する検出部と、前記オペレータにより入力された前記補正データに含まれる文字列の接尾語が、前記検出された前記所定の種別に対応するか否かを判定する判定部と、を備えることを特徴とする、帳票処理システムが提供される。
【０００９】
また、前記少なくとも１つの端末装置は、前記帳票の画像イメージデータを取得し、前記画像イメージデータを基に文字データを認識する認識部と、前記取得された前記画像イメージデータおよび前記認識された前記文字データを前記サーバ装置に送信してもよい。
【００１０】
また、前記サーバ装置は、前記エントリ端末の要求に応じて前記画像イメージデータおよび前記文字データを配信してもよい。
【００１１】
また、上記課題を解決するために、本発明の別の観点によれば、少なくとも１つの端末装置から送信される帳票の画像イメージと、前記画像イメージを基に認識された文字データを格納しているサーバ装置とネットワークを介して接続されるエントリ端末であって、前記画像イメージデータと前記文字データを要求する要求部と、前記画像イメージデータから所定の種別を示す文字列を検出する検出部と、オペレータにより入力された前記所定の種別に関連する前記文字データの補正データを取得する取得部と、前記補正データに含まれる文字列の接尾語が、前記検出された前記所定の種別に対応するか否かを判定する判定部と、を備えることを特徴とする、エントリ端末が提供する。
【００１２】
また、前記所定の種別と、前記所定の種別に関連する文字列の接尾語と、前記文字列の接尾語の文字数とを関連付けて記憶している接尾語記憶部を備えてもよい。
【００１３】
また、前記取得部により取得された補正データに含まれる文字列から、前記所定の種別に関連付けられた前記文字列の接尾語の文字数分の文字列を抽出する抽出部を備えてもよい。
【００１４】
また、前記判定部は、前記抽出部により抽出された前記補正データに含まれる文字列の接尾語と、前記所定の種別に関連付けられた前記文字列の接尾語とを比較してもよい。
【００１５】
また、前記所定の種別は、金融機関の種別を示してもよい。
【００１６】
また、前記補正データに含まれる文字列は、金融機関名を示してもよい。
【００１７】
また、前記判定部は、前記金融機関の種別が銀行以外の種別である場合に、前記補正データに含まれる金融機関名の接尾語が、前記検出された金融機関の種別に対応するか否かを判定してもよい。
【００１８】
また、前記判定部は、前記金融機関の種別が農協、信金、信組の種別を示す場合に、前記補正データに含まれる金融機関名の接尾語が、それぞれ、ノウキヨウ、シンキン、シンクミであるか否かを判定してもよい。
【００１９】
また、上記課題を解決するために、本発明の別の観点によれば、帳票に関するデータを格納しているサーバ装置と、オペレータによる前記帳票に関するデータの補正データを入力するエントリ端末を用いた帳票データ処理方法であって、少なくとも１つの端末装置が前記帳票の画像イメージと、前記画像イメージデータを基に認識された文字データとを前記サーバ装置へ送信するステップと、前記サーバ装置が前記送信された前記帳票の画像イメージと前記文字データを格納するステップと、前記エントリ端末による要求に応じて前記サーバ装置が前記帳票の画像イメージと前記文字データを配信するステップと、前記エントリ端末が前記画像イメージデータから所定の種別を示す文字列を検出するステップと、前記エントリ端末が前記オペレータにより入力された前記補正データに含まれる文字列の接尾語が、前記検出された前記所定の種別に対応するか否かを判定するステップと、を含むことを特徴とする、帳票データ処理方法が提供される。
【発明の効果】
【００２０】
以上説明したように本発明によれば、ＯＣＲにより文字認識されなかった金融機関名称等の文字データを正しく補正入力することができる。
【図面の簡単な説明】
【００２１】
【図１】本発明の実施形態にかかる帳票処理システムの構成例を示した説明図である。
【図２】第１実施形態にかかる振込依頼書のレイアウト例を説明する説明図である。
【図３】同実施形態にかかるエントリ画面のレイアウト例を説明する説明図である。
【図４】同実施形態にかかる振込依頼書の記載例を説明する説明図である。
【図５】同実施形態にかかる帳票処理システムの各端末の機能構成を示すブロック図である。
【図６】同実施形態にかかるエントリ端末におけるエントリ処理の詳細を示すフローチャートである。
【図７】同実施形態にかかるエントリ端末の表示画面の表示例である。
【図８】同実施形態にかかる表示されるエラーメッセージの一例である。
【図９】同実施形態にかかる接尾語チェック方法の詳細を示すフローチャートである。
【図１０】同実施形態にかかる接尾語チェックテーブルの内容を示す説明図である。
【図１１】第２実施形態にかかる接尾語チェックテーブルの内容を示す説明図である。
【図１２】従来技術を説明する説明図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、以下に示す順序に従って当該「発明を実施するための最良の形態」を説明する。
〔１〕本実施形態の目的
〔２〕第１実施形態
〔２−２〕帳票処理システムの全体構成および各装置の概要
〔２−３〕各端末の機能構成
〔２−４〕帳票データ処理方法の詳細
〔３〕第２実施形態
【００２４】
〔１〕本実施形態の目的
まず、本実施形態の目的について説明する。一般に、金融機関の営業店に顧客が振り込み依頼に来店した場合、まず、顧客が所定の振込依頼書に必要事項を記入して営業店の窓口に提出する。この振込依頼書は、営業店に設定されているスキャナから読み取られ、集中センタのサーバ装置に送信される。そして、集中センタの入力端末にてデータの補正操作等が行われる。
【００２５】
振込依頼書には、振込先金融機関が記入されるが、金融機関名記入フィールドには振込先金融機関名が漢字で記入され、金融機関種別フィールドには振込先金融機関に該当する金融機関種別にマークが付けられる。振込先金融機関名を漢字で記入する場合には、銀行以外の金融機関は接尾語を付けても付けなくても文字認識可能であるが、通常、記入文字数が少ないほうが記入が楽であるため、接尾語を付けないことが多い。
【００２６】
例えば、「沖農協」に振込をする場合、振込依頼書の記載は以下の２通りが考えられる。
（１）漢字フィールドに「沖」と記入し、金融機関種別は「農協」にマークする。
（２）漢字フィールドに「沖農協」と記入し、金融機関種別は「農協」にマークする。
上記の場合、「農協」の接尾語を付けずに漢字フィールドに「沖」と記入する場合が多い。
【００２７】
例えば、金融機関名の漢字をＯＣＲで文字認識できなかった場合には、集中センタのオペレータが振込依頼書の帳票イメージを目視しながら補正入力を行っている。ここで、図１２を参照して、従来の金融機関名入力における問題点について説明する。図１２の画面６５０には、ＯＣＲにより文字認識された振込依頼書のイメージデータおよび文字認識結果が表示されている。
【００２８】
画面６５０では、イメージデータ欄６５１には「沖」と表示されているが、文字認識結果欄６５３は「？」となっており、金融機関名称が正しく文字認識できなかったことがわかる。この場合、集中センタのオペレータは、金融機関種別フィールド６５２の「農協」にマークがなされており、イメージデータ欄６５１に「沖」と表示されているため、文字認識結果欄６５３に「オキノウキヨウ」と入力する必要がある。
【００２９】
しかし、オペレータが金融機関種別のマークをよく確認せず、金融機関名の漢字イメージだけを見て、文字認識結果欄６５３に「オキ」と入力してしまう可能性がある。一般銀行の場合には、全銀の規定で金融機関名のカナ名称の接尾語は付けないこととなっている。このため、「オキ」と入力された場合には「沖銀行」宛ての振込依頼として集中センタに誤発信されてしまうという問題があった。
【００３０】
そこで、上記のような事情を一着眼点として、本発明の実施形態にかかる帳票処理システムが提供されるに至った。本実施形態にかかる帳票処理システムによれば、ＯＣＲにより文字認識されなかった金融機関名称等の文字データを正しく補正入力させることが可能となる。
【００３１】
〔２〕第１実施形態
次に、第１実施形態について説明する。本実施形態にかかる帳票処理システムは、金融機関における為替振込処理の効率化を目的とし、営業店に設置されているスキャナから振込依頼書を読取後センタに送信し、センタにて集中処理するシステムである。また、帳票処理システムでは、帳票に記載された文字をＯＣＲで読み取り、文字認識されなかった文字データを正しく補正入力するシステムである。以下では、特に、文字データを為替データとして発信する金融機関名称として説明する。また、本実施形態では、銀行以外の金融機関種別が「農協」である場合に、金融機関名称の接尾語を正しく補正入力させる場合について説明する。
【００３２】
〔２−２〕帳票処理システムの全体構成および各装置の概要
図１に基づいて、本実施形態にかかる帳票処理システム１の全体構成について説明する。図１は、本実施形態にかかる帳票処理システム１の構成例を示した説明図である。図１に示したように、本実施形態にかかる帳票処理システム１は、営業店１００と、センタ装置２００と、処理ホスト４００などを含んで構成される。
【００３３】
営業店１００には少なくとも１台の受付端末１０が設置されている。受付端末１０は、例えば、ＰＣ（パーソナルコンピュータ）等を例示できる。受付端末１０は、スキャナ１１により読み取られた振込依頼書５０等の帳票に関するデータをセンタ装置２００に送信する機能を有する。本実施形態では、受付端末１０は、スキャナ１１と別体の装置としたが、かかる例に限定されず、受付端末１０とスキャナ１１とが一体の装置であってもよい。
【００３４】
受付端末１０は、後述するセンタ装置２００とネットワークを介して接続されている。図１では、１つの受付端末１０がセンタ装置２００と接続されている場合を例示したが、複数の受付端末１０がセンタ装置２００と接続されていてもよい。また、受付端末１０およびスキャナ１１を有する複数の営業店１００がセンタ装置２００と接続されていてもよい。
【００３５】
センタ装置２００は、受付端末１０とネットワークを介して接続され、Ｗｅｂサーバ２１、為替サーバ２２、共通クライアント３１、３２、３３、通信ゲートウェイ（通信ＧＷ）３５などを有して構成される。センタ装置２００は、受付端末１０から送信された振込依頼データ等を受信して、振込依頼データ等の帳票に関するデータに基づいて、為替決済データ等の処理電文データを生成する機能を有する。センタ装置２００により生成される処理電文データは、処理ホスト４００によりデータ処理される。
【００３６】
共通クライアント３１、３２、３３は、それぞれエントリ端末３１、ベリファイ端末３２、承認端末３３である。帳票データの処理ミスを確実に防止することを前提としたシステムでは、典型的にはデータ入力（エントリ）、検証（ベリファイ）、承認といった多段階の確認プロセスが採用される。エントリ端末３１、ベリファイ端末３２、承認端末３３は、そうした確認プロセスを実現するために備えられ、これらの端末に処理されて処理電文データが生成される。また、本発明の技術的範囲から外れることなく、エントリ端末３１、ベリファイ端末３２、承認端末３３のうち１つ以上の端末装置を省略して構成してもよい。また、これら端末装置を１つのハードウェアに集約して構成するようにしてもよい。
【００３７】
処理ホスト４００は、センタ装置２００により生成される処理電文データの発信先であり、処理電文データを元に一般勘定等の処理を実行するデータ処理装置である。
【００３８】
以上、帳票処理システム１の全体構成について説明した。次に、図１を参照して、帳票処理システム１における帳票処理の概要を説明する。帳票処理の概要を説明するにあたり、適宜図２及び図３を参照する。まず、営業店窓口にて営業店の行員が顧客から振込依頼書等の帳票５０を受け取る。営業店の行員が帳票５０の内容をチェックした後に、受付端末１０に接続されているスキャナ１１に帳票５０をセットする。
【００３９】
帳票５０は、例えば図２に示した振込依頼書５０を例示できる。図２は、振込依頼書５０のレイアウト例を説明する説明図である。図２に示したように、振込依頼書５０には振込依頼日、振込先、口座番号等が記載されている。特に、振込先として、振込先の金融機関名フィールドと金融機関種別フィールドが記載されている。振込先の金融機関名フィールドには、振込先の金融機関名が漢字で記載される。また、金融機関種別フィールドには、記載された金融機関種別に「○」などのマークが記載される。
【００４０】
営業店の行員は、スキャナ１１にて振込依頼書５０の読み取りを実行する。スキャナ１１により振込依頼書５０の画像イメージと文字認識結果（文字データ）がネットワークを介してセンタ装置２００に送信される。受付端末１０により送信された振込依頼書４００の画像イメージと文字認識結果は、センタ装置２００の為替サーバ２２のデータベースに格納される。
【００４１】
そして、為替サーバ２２のデータベースに格納されたデータは、エントリＰＣ３１に配信される。エントリＰＣ３１のエントリ画面は、例えば図３に示したエントリ画面３０１を例示できる。図３は、エントリ画面３０１のレイアウト例を説明する説明図である。図３に示したように、図３のエントリ画面３０１には、振込依頼書の画像イメージ６０１と、画像イメージ６０１を基に認識された文字データ６０２とが並べて表示される。例えば、画像イメージ６０１には、振込依頼書５０に記載された金融機関名の漢字と、金融機関種別にマークが付されている画像イメージが表示される。また、文字データ６０２には、金融機関名の漢字と金融機関種別の文字列の文字認識結果が表示される。
【００４２】
センタ装置２００のオペレータは、エントリＰＣ３１に配信された振込依頼書のイメージデータを目視しながら、文字認識にて誤読、不読となったデータの補正操作を行う。そして、エントリＰＣ３１によりエントリ完了したデータは、ベリファイＰＣ３２に配信されて、エントリデータの確認や重要項目の再入力が行われる。
【００４３】
エントリ／ベリファイ結果が不一致となった場合や、高額取引の場合には、承認ＰＣ３３にデータが配信されて承認操作が行われる。そして、ベリファイ操作または承認操作終了後に、通信ゲートウェイ装置３５を介して処理ホスト４００に為替決済データ（処理電文データ）が発信される。以上の一連の流れにより、一件分の為替取引が完結する。以上、帳票処理システム１における帳票処理の概要を説明した。
【００４４】
本実施形態にかかる帳票処理システム１は、特に、金融機関名称を正しく補正入力させる機能を有するため、金融機関名称の補正入力処理について詳細に説明する。図２に示した振込依頼書には、振込先金融機関が記入される。顧客は、金融機関名記入フィールド５０１に振込先金融機関名を漢字で記入し、金融機関種別フィールド５０２には振込先金融機関に該当する金融機関種別にマークする。
【００４５】
ここで、図４を参照して、振込先金融機関名の漢字と金融機関種別の記載例について説明する。図４は、振込依頼書の記載例を説明する説明図である。図４に示したように、振込先金融機関名漢字の記載においては、銀行以外の金融機関の場合、金融機関名漢字フィールドに「沖」と記入しても、「沖農協」と記入しても、金融機関種別フィールドの「農協」にマークされていれば、「オキノウキヨウ」と文字認識される。すなわち、銀行以外の金融機関については、「農協」という接尾語を付けて記入しなくても、「沖」だけ記入すれば、「ノウキヨウ」の接尾語が付されて文字認識がなされる。したがって、通常は、記入を楽にするため、接尾語を付けずに記入することが多い。
【００４６】
上記したように、振込依頼書の金融機関名漢字に「沖」と記入し、金融機関種別は「農協」をマークしたが、金融機関名がＯＣＲで文字認識できなかった場合には、エントリ端末３１を操作するオペレータが画像イメージを目視しながら補正入力を行う。この場合、オペレータは「オキノウキヨウ」と入力しなければならない。しかし、エントリ端末３１のオペレータが、金融機関種別のマークをよく確認せず、金融機関名漢字イメージだけを見て誤って「オキ」と入力した場合には、「沖銀行」宛ての振込依頼として処理ホストに発信されてしまう。
【００４７】
本実施形態では、上記のような誤発信の事故を防止して、より堅確性を向上させるために、エントリ画面でオペレータにより補正入力された金融機関名の接尾語のチェックを行っている。以上、帳票処理システム１における帳票処理の概要を説明した。
【００４８】
〔２−３〕各端末の機能構成
次に、図５を参照して、帳票処理システム１の各端末の機能構成について説明する。図５は、帳票処理システム１の各端末の機能構成を示すブロック図である。以下では、Ｗｅｂサーバ２１と為替サーバ２２をサーバ装置２０として説明する。また、共通クライアント端末のうち、本実施形態の特徴的な機能を構成するエントリ端末３１について特に詳細に説明する。
【００４９】
図５に示したように、受付端末１０は、主に、認識部１０２および送信部１０４などを備える。認識部１０２は、帳票５０の画像イメージを取得し、当該画像イメージデータを基に文字データを認識する機能を有する。上記したように、受付端末１０にスキャナ１１が接続されている場合には、スキャナ１１が認識部１０２の機能を有してもよい。この場合、スキャナ１１により帳票５０の画像イメージおよび文字データが認識される。当該認識結果が認識部１０２に提供される。
【００５０】
送信部１０４は、例えば、通信デバイス等で構成された通信インタフェースであって、認識部１０２により認識された画像イメージおよび文字データなどをサーバ装置２０に送信する機能を有する。以上、受付端末１０の機能構成について説明した。
【００５１】
次に、サーバ装置２０の機能構成について説明する。サーバ装置２０は、上記したように、Ｗｅｂサーバ２１および為替サーバ２２などから構成される。サーバ装置２０は、受信部２０２、格納部２０６、送信部２０８などを備える。
【００５２】
受信部２０２は、例えば、通信デバイス等で構成された通信インタフェースであって、受付端末１０から送信される各種データを受信する機能を有する。本実施形態において、受付端末１０から送信されるデータは、例えば、帳票の画像イメージデータや画像イメージデータを基に認識された文字データなどである。
【００５３】
格納部２０６は、例えば、ハードディスクおよび円盤型磁性体ディスクなどの磁気ディスクなどの記憶媒体を例示できる。格納部２０６は、受付端末１０から送信される帳票の画像イメージと画像イメージデータを基に認識された文字データなどを格納する機能を有する。帳票の画像イメージと文字データとは、対応付けて格納されている。格納部２０６は、為替サーバ２２に備えるようにしてもよい。
【００５４】
送信部２０８は、例えば、通信デバイス等で構成された通信インタフェースであって、エントリ端末３１の要求に応じて、格納部２０６に格納されている帳票の画像イメージデータおよび文字データをエントリ端末３１に送信する機能を有する。以上、サーバ装置２０の機能構成について説明した。
【００５５】
次に、エントリ端末３１の機能構成について説明する。図５に示したように、エントリ端末３１は、要求部３０２、取得部３０４、検出部３０６、判定部３０８、接尾語記憶部３１０、抽出部３１２などを備える。
【００５６】
要求部３０２は、サーバ装置２０の格納部２０６に格納されている帳票の画像イメージデータおよび文字データを要求する機能を有する。上記したように、要求部３０２による要求に応じて、サーバ装置２０から帳票の画像イメージデータおよび該画像イメージデータに対応する文字データがエントリ端末３１に配信される。
【００５７】
取得部３０４は、エントリ端末３１を操作するオペレータにより入力された所定の種別に関連する文字データの補正データを取得する機能を有する。所定の種別とは、例えば、金融機関種別である。オペレータは、金融機関種別に関連する金融機関名称等の漢字が文字認識されていなかった場合に、画像イメージの金融機関名称およびマークが付された金融機関種別を参照して金融機関名称の漢字を補正入力する。取得部３０４は、オペレータにより入力された金融機関名称の漢字の補正データを取得する。取得部３０４は、取得した補正データを判定部３０８に提供する。
【００５８】
検出部３０６は、画像イメージデータから所定の種別を示す文字列を検出する機能を有する。上記したように、所定の種別とは、例えば、金融機関種別であって、「銀行」、「農協」、「信金」、「信組」、「信託」などのいずれかである。画像イメージデータでは、金融機関種別のいずれかに「○」がマークされている。したがって、検出部３０６は、マークが付された金融機関種別の文字列を検出する。検出部３０６は、検出した結果を判定部３０８に提供する。
【００５９】
抽出部３１２は、取得部３０４により取得された補正データに含まれる文字列から、検出部３０６により検出された金融機関種別に関連付けられた文字列の接尾語の文字数分の文字列を抽出する機能を有する。接尾語記憶部３１０には、金融機関種別と金融機関種別に対応する金融機関名称の接尾語文字数とが対応づけて記憶されている。したがって、抽出部３１２は、マークされた金融機関種別に対応する金融機関名称の接尾語文字数を接尾語記憶部３１０から取得して、接尾語文字数で指定された文字数分の文字列を抽出する。
【００６０】
例えば、接尾語記憶部３１０に、金融機関種別「農協」と接尾語文字数「５」とが関連付けて記憶されているとする。この場合、取得部３０４により金融機関名称である「オキノウキヨウ」の文字列が取得され、金融機関種別が「農協」である場合には、接尾語文字数は「５」であるため、「オキノウキヨウ」の接尾語５文字「ノウキヨウ」が抽出される。抽出部３１２により抽出された接尾語は、判定部３０８に提供される。
【００６１】
判定部３０８は、取得部３０４により提供された補正データに含まれる文字列の接尾語が、検出部３０６により検出された所定の種別に対応するか否かを判定する機能を有する。補正データに含まれる文字列の接尾語とは、例えば、金融機関名称の接尾語であって、「沖農協」の「農協（ノウキヨウ）」が接尾語にあたる。また、所定のマークとは上記したように、金融機関種別である。判定部３０８は、抽出部３１２により抽出された補正データの接尾語（例えば、ノウキヨウ）と、マークが付されている金融機関種別（例えば、ノウキヨウ）に対応する接尾語が一致しているか否かを判定する。
【００６２】
接尾語記憶部３１０には、金融機関種別と、金融機関種別に対応する接尾語も関連付けて記憶されている。例えば、金融機関種別が「農協」である場合には、接尾語「ノウキヨウ」が関連付けて記憶されている。したがって、補正データの文字列が「オキノウキヨウ」であり、金融機関種別が「農協」である場合に、判定部３０８は、抽出部３１２により抽出された補正データに含まれる文字列の接尾語「ノウキヨウ」と、接尾語記憶部３１０から取得した接尾語「ノウキヨウ」とを比較する。
【００６３】
接尾語記憶部３１０は、例えば、ハードディスクおよび円盤型磁性体ディスクなどの磁気ディスクなどの記憶媒体を例示できる。接尾語記憶部３１０には、金融機関種別と金融機関種別に対応する金融機関名称の接尾語文字数と、金融機関種別に対応する接尾語とが対応づけて記憶されている。例えば、金融機関種別が「農協」である場合には、接尾語文字数「５」、金融機関種別に対応する接尾語「ノウキヨウ」が関連付けて記憶されている。以上、エントリ端末３１の機能構成について説明した。
【００６４】
〔２−４〕帳票データ処理方法の詳細
次に、図６〜図１０を参照して、本実施形態にかかる帳票データ処理方法の詳細について説明する。図６は、エントリ端末３１におけるエントリ処理の詳細を示すフローチャートである。上記したように、エントリ端末３１に配信された振込依頼書の画像イメージと画像イメージを基に認識された文字データは、図７に示したように、エントリ端末３１の表示画面に表示される。オペレータは、振込依頼書のイメージを目視しながら、文字認識により誤読や不読となった文字データについて補正入力を行う。
【００６５】
図６は、オペレータにより補正入力が行われる際の処理の流れを示している。以下では、サーバ装置２０（為替サーバ２２）から配信されるデータを為替データとし、振込依頼書の金融機関名を補正入力する場合について説明する。まず、エントリ端末３１は、為替サーバ２２に為替データのリード要求を行う（Ｓ１０２）。為替サーバ２２にエントリ前の為替データが存在する場合には、為替サーバ２２からエントリ端末３１に為替データが配信される。
【００６６】
そして、エントリ端末３１の表示画面に、為替サーバ２２から配信された補正処理前の為替データが表示される（Ｓ１０４）。ステップＳ１０４において、ＯＣＲで文字認識できなかったフィールドについては、「？」が表示される。図７では、画像イメージ６１１に表示されている金融機関名「沖」を文字認識できなかったため、文字データ６０２に「？」が表示されている。
【００６７】
そして、オペレータは、エントリ画面に表示されている画像イメージを目視しながら、文字認識で誤読または不読となったデータの補正入力を行う（Ｓ１０６）。例えば、図７に示したエントリ画面が表示されている場合には、画像イメージ６１１に「沖」と表示されており、金融機関種別は「農協」にマークが付されているため、文字データ６１２に「オキノウキヨウ」と入力する。また、ステップＳ１０６において、オペレータが金融機関種別を確認せずに文字データ６１２に「オキ」と入力してしまう場合もある。本実施形態では、文字データ６１２に「オキ」と入力された場合にエラー処理する。当該エラー処理については後で詳細に説明する。
【００６８】
ステップＳ１０６において、データの補正入力が終了し、オペレータにより「終了キー」が押下された場合には、金融機関名フィールドの接尾語チェックを実行する（Ｓ１０８）。ステップＳ１０８における接尾語チェックについては、あとで詳細に説明する。
【００６９】
そして、ステップＳ１０８において実行された接尾語チェックの結果、チェックＯＫかＮＧかの判定を行う（Ｓ１１０）。ステップＳ１１０において、接尾語チェックの結果がＯＫであると判定された場合には、ステップＳ１０６において行ったデータ補正の入力結果を為替サーバ２２に送信する（Ｓ１１４）。
【００７０】
ステップＳ１１０において、接尾語チェックの結果がＮＧであると判定された場合には、エントリ端末３１の表示画面にエラーメッセージを表示する（Ｓ１１２）。ステップＳ１１２において表示されるエラーメッセージは、例えば、図８に示したエラーメッセージ６２０を例示できる。エラーメッセージ６２０には、ステップＳ１０６において入力された金融機関名の接尾語がマークされた金融機関種別に対応していない場合に、「指定した金融機関名は存在しません」などのエラーメッセージを表示する。ステップＳ１１２において、エラーメッセージを表示された場合には、オペレータはエラーメッセージを確認して、再度ステップＳ１０６のデータ補正操作を行う。
【００７１】
ステップＳ１１４において、為替サーバ２２にデータ補正の入力結果を送信した後に、ステップＳ１０２の処理に戻る。以上、エントリ端末３１におけるエントリ処理について説明した。次に、図９を参照して、接尾語チェック方法の詳細について説明する。図９は、接尾語チェック方法の詳細を示すフローチャートである。
【００７２】
図９に示したように、まず、画像イメージデータから、振込依頼書のマークが付された金融機関種別の文字列を検出する（Ｓ２０２）。ステップＳ２０２においては、例えば、金融機関種別のうち、「農協」にマークされていたとする。
【００７３】
そして、金融機関名フィールドに補正入力された文字データを取り出す（Ｓ２０４）。ステップＳ２０４においては、例えば、図７の文字データ６１２の「？」に代えて補正入力された「オキノウキヨウ」を取り出す。
【００７４】
接尾語記憶部３１０に記憶されている接尾語チェックテーブルを読み出す（Ｓ２０６）。ステップＳ２０６において読み出される接尾語チェックテーブルには、上記したように、金融機関種別と接尾語文字数と接尾語とが関連付けて記憶されている。図１０に示したように、例えば、金融機関種別「農協」と、接尾語文字数「５」と、接尾語「ノウキヨウ」とが関連付けて記憶されている。
【００７５】
次に、ステップＳ２０４において取り出した金融機関名フィールドの入力値の文字列の接尾語を抽出する（Ｓ２０８）。ステップＳ２０８においては、例えば、金融機関名フィールドの入力値の文字列が「オキノウキヨウ」で、金融機関種別の「農協」にマークされていた場合には、接尾語チェックテーブルを参照して、５文字の接尾語「ノウキヨウ」を抽出する。
【００７６】
そして、ステップＳ２０８において抽出された文字列の接尾語「ノウキヨウ」と、接尾語チェックテーブルの接尾語「ノウキヨウ」とを比較する（Ｓ２１０）。
【００７７】
例えば、図６のステップＳ１０６において、金融機関種別が「農協」であるにも関わらず、文字データに「オキ」が補正入力された場合には、ステップＳ２１０の接尾語比較において不一致となる。具体的には、金融機関種別が「農協」である場合には、接尾語チェックテーブル３２０を参照すると、接尾語は「ノウキヨウ」である。しかし、補正入力された文字列は「オキ」であるため、接尾語文字数の５文字を取得できない。したがって、接尾語チェックテーブル３２０の接尾語と補正入力された文字列の接尾語が不一致となる。
【００７８】
このように、オペレータが、金融機関名の補正データを入力する際に、金融機関種別を確認せずに、マークが付された金融機関種別に対応しない金融機関名を入力してしまった場合には、エラーとして処理することができる。これにより、ＯＣＲにより文字認識されなかった金融機関名称等の文字データを正しく補正入力させて、誤発信の事故を防止し、堅確性向上を実現させることが可能となる。
【００７９】
上記では、「農協」宛ての振込依頼の場合を例示して説明したが、金融機関種別「農協」に「農林中金」や「××信連」が含まれる場合もある。この場合、接尾語「ノウキヨウ」のみでチェックすると正しく金融機関名のカナ文字を入力しているにもかかわらず、エラーメッセージが表示されてしまうこととなる。
【００８０】
そこで、金融機関種別「農協」にマークが付された場合には、接尾語チェックテーブル３２０の接尾語に「ノウキヨウ」だけでなく、「ノウリンチユウキン」（接尾語文字数９）、「シンレン」（接尾語文字数４）などを追加することにより、正しく接尾語チェックを行うことが可能となる。
【００８１】
以上、第１実施形態について説明した。従来、エントリ端末３１におけるデータの補正入力において、金融機関名については接尾語チェックを行っておらず、センタのオペレータが入力したデータがそのまま処理ホスト４００に送信され処理されていた。このため、オペレータが入力ミスした場合には、誤発信の事故が発生し、運用上満足できるシステムとはなっていなかった。しかし、本実施形態によれば、エントリ端末３１に入力された金融機関名の接尾語をチェックすることができ、誤発信を未然に防止し、堅確性の優れたシステムを提供することが可能となる。
【００８２】
〔３〕第２実施形態
第１の実施形態では、金融機関種別が「農協」の場合を例示して説明したが、「農協」以外の金融機関種別においても接尾語チェックを行うことにより、さらに、堅確性の向上を実現することが可能となる。以下では、第１実施形態と異なる構成について特に詳細に説明し、第１実施形態と同様の構成については詳細な説明は省略する。
【００８３】
本実施形態では、接尾語記憶部３１０に記憶されている接尾語チェックテーブルの構成が異なるため、図１１を参照して、接尾語チェックテーブルについて特に詳細に説明する。図１１の接尾語チェックテーブル３３０に示したように、接尾語チェックテーブル３３０には、金融機関種別「農協」だけでなく、「信金」や「信組」などを追加することにより、接尾語のチェック範囲を拡大することが可能となる。
【００８４】
例えば、振込依頼書の金融機関種別の「信金」にマークが付されている場合、エントリ画面に入力された金融機関名の接尾語が「シンキン」であるか否かを判定することができる。また、振込依頼書の金融機関種別の「信組」にマークが付されている場合、エントリ画面に入力された金融機関名の接尾語が「シンクミ」であるか否かを判定することができる。また、金融機関種別の「銀行」にマークが付されている場合には、接尾語チェックをしないようにしてもよい。
【００８５】
以上、第２実施形態について説明した。本実施形態によれば、接尾語チェックテーブルに「信金」や「信組」を追加して、振込依頼書の金融機関種別にマークされた種別に応じて、接尾語のチェック範囲を拡大することができる。これにより、さらに、堅確性の優れた帳票処理システムを提供することが可能となる。
【００８６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８７】
上記では、帳票処理システムを、金融機関名を入力する為替集中処理システムに適用して説明したが、かかる例に限定されない。金融機関名に限らず、接尾語を付して文字列を入力したり、該文字列をチェックしたりするシステムに本実施形態を適用することができる。
【００８８】
例えば、本明細書の帳票処理システムの処理における各ステップは、必ずしもフローチャートとして記載された順序に沿って時系列に処理する必要はない。すなわち、帳票処理システムの処理における各ステップは、異なる処理であっても並列的に実行されてもよい。
【００８９】
また、帳票処理システムに内蔵されるＣＰＵ、ＲＯＭおよびＲＡＭなどのハードウェアを、上述した帳票処理システムの各構成と同等の機能を発揮させるためのコンピュータプログラムも作成可能である。また、該コンピュータプログラムを記憶させた記憶媒体も提供される。
【符号の説明】
【００９０】
１００    営業店
１０      受付端末
１０２    認識部
１０４    送信部
１１      スキャナ
２００    センタ装置
２０      サーバ装置
２１      Ｗｅｂサーバ
２０２    受信部
２０６    格納部
２０８    送信部
２２      為替サーバ
３１      エントリ端末
３０２    要求部
３０４    取得部
３０６    検出部
３０８    判定部
３１０    接尾語記憶部
３１２    抽出部
３２      ベリファイ端末
３３      承認端末
【図１】
0005462017.tif 000002
【図２】
0005462017.tif 000003
【図３】
0005462017.tif 000004
【図４】
0005462017.tif 000005
【図５】
0005462017.tif 000006
【図６】
0005462017.tif 000007
【図７】
0005462017.tif 000008
【図８】
0005462017.tif 000009
【図９】
0005462017.tif 000010
【図１０】
0005462017.tif 000011
【図１１】
0005462017.tif 000012
【図１２】
0005462017.tif 000013